(57)【要約】【課題】従来例による真空断熱材のモニタリングでは、センサから得られる温度、真空（内圧）等の各種計測値に基づいて、単に計測時点での真空断熱材の断熱性能が低下しているか否かを判断できるに過ぎず、真空断熱材から得られる計測値の変化を時系列的に考慮して、数年後の真空断熱材の断熱性能変化を予測することは困難であった。【解決手段】本発明では、定期的に真空断熱材の内蔵センサから測定データを取得し、測定日時と共に時系列的に記憶装置に蓄積し、蓄積された測定データから内部の圧力値（内圧値）を算出して、最新の内圧値と、過去の内圧値との差分を、それらの内圧値に対応する測定データの計測間隔（例えば、観測日数）で割って算出された圧力勾配に基づいて、真空断熱材の数年後又はそれ以降の断熱性能の変化を予測して、真空断熱材の交換タイミングやアラートを、ユーザに提示することが可能な断熱性能変化予測システム等を提供する。【選択図】図４
2020134394.tif 000002
【特許請求の範囲】
【請求項１】
芯材と、前記芯材を覆うガスバリア性フィルムと、前記ガスバリア性フィルムの外側に設けられた外層とを含み、内部を減圧密封した真空断熱材の前記外層よりも内側に設けられた小型無線真空計であって、圧力センサと、前記圧力センサにより計測された測定データを送信する送信ユニットとを少なくとも含む小型無線真空計から取得した測定データを記憶する記憶部と、
前記測定データから、前記圧力センサによる計測時点での前記真空断熱材の内部圧力を示す内圧値を求め、前記内圧値と、前記真空断熱材の過去の内部圧力を表す過去内圧値との内圧差分を算出し、単位時間当たりの前記内圧差分の変化量を表す圧力勾配値を取得する圧力勾配計算部と、
予め指定された指定期間が経過した場合の前記真空断熱材の断熱性能を、前記圧力勾配値から換算された熱伝導率に基づいて判定する性能判定部と、
前記性能判定部による判定結果に応じた通知を行う通知部と
を含み、
前記性能判定部は、前記熱伝導率が予め指定された指定熱伝導率以上となるか否かを判定し、
前記通知部は、前記性能判定部において前記熱伝導率が前記指定熱伝導率以上と判定された場合に、前記真空断熱材の交換を促す通知を行うこと
を特徴とする断熱性能変化予測システム。
【請求項２】
前記圧力勾配値は、下記数式（１）によって算出されることを特徴とする請求項１に記載の断熱性能変化予測システム。
【数１】
2020134394.tif 000010
ただし、ΔPa は、前記圧力勾配値であり、Pac は計測時点での前記真空断熱材の前記内圧値であり、Paa は Pac よりも過去に計測された前記過去内圧値であり、Day は Paa の計測時点から Pac の計測時点までの測定間隔を表す日数である。 
【請求項３】
前記熱伝導率は、下記数式（２）によって算出されることを特徴とする請求項２に記載の断熱性能変化予測システム。
【数２】
2020134394.tif 000011
ただし、λcop は真空断熱材の中央部の熱伝導率であり、λsr は芯材の固体及び放射熱伝導率であり、λga は乾燥空気の熱伝導率であり、P1/2 は芯材の大気圧下での熱伝導率の値と、真空下（1Pa以下）での熱伝導率の値を足して２で割った熱伝導率の時の雰囲気圧力値、ｔ は、交換時期を表す値である。
【請求項４】
前記交換時期を表す値 ｔ は、前記予め指定された指定期間の値であることを特徴とする請求項３に記載の断熱性能変化予測システム。
【請求項５】
交換時期は、下記数式（３）によって算出されることを特徴とする請求項２に記載の断熱性能変化予測システム。
【数３】
2020134394.tif 000012
ただし、ｔ は、交換時期を表す値であり、λcop は真空断熱材の中央部の熱伝導率であり、λsr は芯材の固体及び放射熱伝導率であり、λga は乾燥空気の熱伝導率であり、P1/2 は芯材の大気圧下での熱伝導率の値と、真空下（1Pa以下）での熱伝導率の値を足して２で割った熱伝導率の時の雰囲気圧力値である。
【請求項６】
前記 λcop は、前記予め指定された指定熱伝導率の値であることを特徴とする請求項５に記載の断熱性能変化予測システム。
【請求項７】
前記通知部は、前記真空断熱材の熱伝導率が前記指定熱伝導率に到達するまでの期間又は時間を通知すること
を特徴とする請求項１から６のいずれか１項に記載の断熱性能変化予測システム。
【請求項８】
前記通知部は、前記性能判定部において前記熱伝導率が前記指定熱伝導率未満と判定された場合に、前記指定熱伝導率に到達するまでの期間又は時間を通知すること
を特徴とする請求項７に記載の断熱性能変化予測システム。
【請求項９】
前記性能判定部は、さらに、前記熱伝導率λcopの現在値と、前記性能判定部により過去に取得された１以上の過去値との相関係数が、予め指定された指定相関係数以上となるか否かを判定し、
前記通知部は、前記性能判定部において前記相関係数が前記指定相関係数未満と判定された場合に、前記真空断熱材の交換を促す通知又は異常を知らせる警告の通知を行うこと
を特徴とする請求項１から８のいずれか１項に記載の断熱性能変化予測システム。
【請求項１０】
前記相関係数は、前記熱伝導率λcopの前記現在値をＸとし、前記過去値をＹとして、下記数式（４）によって算出されることを特徴とする請求項９に記載の断熱性能変化予測システム。
【数４】
2020134394.tif 000013
【請求項１１】
コンピュータを請求項１から１０に記載の断熱性能変化予測システムとして機能させることを特徴とする断熱性能変化予測プログラム。
【発明の詳細な説明】
【技術分野】
【０００１】
本発明は、住宅やプラントの外壁等に使用される真空断熱材の長期的な内圧計測から測定データを取得して、一定期間の測定データから熱伝導率、内圧についての長期性能変化を表す性能評価値を算出して、当該性能評価値に基づいて住宅やプラントの外壁等に施工した真空断熱材の数年後の断熱性能変化を予測するシステム及びプログラム（以下、「断熱性能変化予測システム等」）に関する。具体的には、真空断熱材の現在の断熱性能や交換タイミングをアラート等で顧客や施工業者等に通知することに適した、真空断熱材の断熱性能変化予測システム等に関する。
【背景技術】
【０００２】
真空断熱材は、発泡スチロールよりも断熱性能の高い断熱材として冷蔵庫、魔法瓶、住宅やプラントの外壁等の様々な分野に多用されている。この真空断熱材は、例えば、内部に多くの空隙をもつ多孔体からなる芯材に、芯材を封入する袋状のガスバリア性フィルムを被せて減圧し、ガスバリア性フィルムの開口部を熱溶着（ヒートシール）し、ガスバリア性フィルムの外側に外層を設けて構成することができる。
【０００３】
一般に、住宅やプラントの外壁等に施工した真空断熱材は、長期的に運用することで経年劣化が進行し、外部から空気等のガスが長い時間をかけて徐々に内部に流入して、ガスの流入による断熱性能が低下する。そのため、真空断熱材内に温度センサ、真空センサ等を設けて、長期に渡って真空断熱材の性能をモニタリングして、真空断熱材の性能変化を検出する装置等が従来技術として提案されている。
【０００４】
例えば、特許第４６４１５６５号公報（特許文献１）に記載の真空断熱パネルは、芯材にガスバリア性の外皮材を被せ、周辺の温度の計測が可能な温度センサ部、温度センサ部による計測結果を無線通信可能な通信部、及びバッテリーが外皮材の内側に配置されるように構成されている。また、特開２０１２−１３６２５４号公報（特許文献２）に記載の真空断熱パネルは、断熱材をガスバリア性フィルムで覆い、内部を真空にした断熱パネルにおいて、外皮材の内側に少なくとも真空センサと、真空センサで検知した真空データを外部に送信可能な通信部と、バッテリーを設けられている。
【０００５】
これら従来技術の真空断熱材（真空断熱パネル）は、内蔵されたセンサによって、真空断熱材の真空度や、周辺の温度を計測することができ、無線通信によって測定データを外部機器に送信し、当該測定データを受信した外部機器において真空断熱材の断熱性能をモニタリングすることができる。それによって、当該外部機器を使用する顧客や施工業者等が、センサによる計測時点での真空断熱材の性能を知ることができる。
【先行技術文献】
【特許文献】
【０００６】
【特許文献１】特許第４６４１５６５号公報
【特許文献２】特開２０１２−１３６２５４号公報
【発明の概要】
【発明が解決しようとする課題】
【０００７】
しかしながら、上記従来例による真空断熱材のモニタリングでは、センサから得られる温度、真空（内圧）等の各種計測値に基づいて、単に計測時点での真空断熱材の断熱性能が低下しているか否かを判断できるに過ぎず、真空断熱材から得られる計測値の変化を時系列的に考慮して、数年後の真空断熱材の断熱性能変化を予測することは困難であった。
【０００８】
そこで、本発明では、定期的に真空断熱材の内蔵センサから測定データを取得し、測定日時と共に時系列的に記憶装置に蓄積し、蓄積された測定データから内部の圧力値（内圧値）を算出して、最新の内圧値と、過去の内圧値との差分を、それらの内圧値に対応する測定データの計測間隔（例えば、最新の測定データを蓄積した日と過去の測定データを蓄積した日との差分である日数）で割って、性能評価値の一例である圧力勾配を算出することで、算出した圧力勾配に基づいて、真空断熱材の数年後又はそれ以降の断熱性能の変化を予測して、真空断熱材の交換タイミングや現在の断熱性に関するアラートを、真空断熱材の長期的な断熱性能の変化を監視する者（施工業者、製造メーカー等）へ提示することが可能な断熱性能変化予測システム等を提供する。
【課題を解決するための手段】
【０００９】
本発明に係る断熱性能変化予測システムの１つの実施形態として、芯材と、前記芯材を覆うガスバリア性フィルムと、前記ガスバリア性フィルムの外側に設けられた外層とを含み、内部を減圧密封した真空断熱材の前記外層よりも内側に設けられた小型無線真空計であって、圧力センサと、前記圧力センサにより計測された測定データを送信する送信ユニットとを少なくとも含む小型無線真空計から取得した測定データを記憶する記憶部と、
前記測定データから、前記圧力センサによる計測時点での前記真空断熱材の内部圧力を示す内圧値を求め、前記内圧値と、前記真空断熱材の過去の内部圧力を表す過去内圧値との内圧差分を算出し、単位時間当たりの前記内圧差分の変化量を表す圧力勾配値を取得する圧力勾配計算部と、
予め指定された指定期間が経過した場合の前記真空断熱材の断熱性能を、前記圧力勾配値から換算された熱伝導率に基づいて判定する性能判定部と、
前記性能判定部による判定結果に応じた通知を行う通知部と
を含み、
前記性能判定部は、前記熱伝導率が予め指定された指定熱伝導率以上となるか否かを判定し、
前記通知部は、前記性能判定部において前記熱伝導率が前記指定熱伝導率以上と判定された場合に、前記真空断熱材の交換を促す通知を行うこと
を特徴とする。
【００１０】
本発明に係る断熱性能変化予測システムの好ましい実施形態として、前記圧力勾配値は、後述する数式（１）によって算出されることを特徴とする。
【００１１】
本発明に係る断熱性能変化予測システムの好ましい実施形態として、前記熱伝導率は、後述する数式（２）によって算出されることを特徴とする。
【００１２】
本発明に係る断熱性能変化予測システムの好ましい実施形態として、後述する数式（２）中の前記交換時期を表す値 ｔ は、前記予め指定された指定期間の値であることを特徴とする。
【００１３】
本発明に係る断熱性能変化予測システムの好ましい実施形態として、交換時期は、後述する数式（３）によって算出されることを特徴とする。
【００１４】
本発明に係る断熱性能変化予測システムの好ましい実施形態として、後述する数式（３）中の λcop は、前記予め指定された指定熱伝導率の値であることを特徴とする。
【００１５】
本発明に係る断熱性能変化予測システムの好ましい実施形態として、前記通知部は、前記真空断熱材の熱伝導率が前記指定熱伝導率に到達するまでの期間又は時間を通知することを特徴とする。
【００１６】
本発明に係る断熱性能変化予測システムの好ましい実施形態として、前記通知部は、前記性能判定部において前記熱伝導率が前記指定熱伝導率未満と判定された場合に、前記指定熱伝導率に到達するまでの期間又は時間を通知することを特徴とする。
【００１７】
本発明に係る断熱性能変化予測システムの好ましい実施形態として、前記性能判定部は、さらに、前記熱伝導率λcopの現在値と、前記性能判定部により過去に取得された１以上の過去値との相関係数が、予め指定された指定相関係数以上となるか否かを判定し、
前記通知部は、前記性能判定部において前記相関係数が前記指定相関係数未満と判定された場合に、前記真空断熱材の交換を促す通知又は異常を知らせる警告の通知を行うことを特徴とする。
【００１８】
本発明に係る断熱性能変化予測システムの好ましい実施形態として、前記相関係数は、前記熱伝導率λcopの前記現在値をＸとし、前記過去値をＹとして、後述する数式（４）によって算出されることを特徴とする。
【００１９】
本発明に係る断熱性能変化予測プログラムの１つの実施形態として、コンピュータを前記断熱性能変化予測システムとして機能させることを特徴とする。
【発明の効果】
【００２０】
本発明の１つの実施形態に係る断熱性能変化予測システムは、真空断熱材の内蔵センサを用いた定期的なモニタリングにより、真空断熱材の最新の内圧値と過去の内圧値との差分を、過去から最新に至るまでのモニタリング日数で割って圧力勾配を算出する圧力勾配計算部を備えたことで、算出した圧力勾配に基づいて、真空断熱材の数年後又はそれ以降の断熱性能の変化を予測することが可能となる。また、本発明の１つの実施形態に係る断熱性能変化予測システムは、予測された断熱性能の変化に基づいて、真空断熱材の交換タイミングや現在の断熱性に関するアラートを、真空断熱材の長期的な断熱性能の変化を監視する者（施工業者、製造メーカー等）へ提示することも可能となる。
【図面の簡単な説明】
【００２１】
【図１】真空断熱材をモニタリングするためのシステム構成例を示す図である。
【図２】モニタリングの対象となる真空断熱材に含まれる小型無線真空計の部品構成を示すブロック図である。
【図３】断熱性能変化予測システムとして機能するコンピュータのハードウェアの構成例を示すブロック図である。
【図４】本発明の一実施形態に係る断熱性能変化予測システムの機能的構成の一例を示すブロック図である。
【図５】断熱性能変化予測システムの表示画面の一例を示す図である。
【図６】小型無線真空計内の圧力センサから取得した出力値を圧力の値に換算する処理の流れを示すフローチャートである。
【図７】小型無線真空計内の圧力センサと真空断熱材の内部圧力との関係を示すグラフである。
【図８】グラスウール芯材を含む真空断熱材の熱伝導率と真空断熱材との内部圧力との関係を示すグラフである。
【図９】図８及び図９に示すグラフを重ねて示したグラフである。
【図１０】指定期間が経過した場合の真空断熱材の断熱性能を圧力勾配値から換算された熱伝導率に基づいて判定する処理の流れを示すフローチャートである。
【図１１】真空断熱材の内部圧力と期間（日数）との関係（圧力勾配）を示すグラフである。
【発明を実施するための形態】
【００２２】
以下に図面を参照して、本発明の一実施形態について説明する。なお、実施の形態を説明するための全ての図において、同一部材には原則として同一の符号を付し、その繰り返しの説明は省略する。
【００２３】
図１は、真空断熱材をモニタリングするためのシステム構成例を示す図である。小型無線真空計１０は、真空断熱材２０の中に設けられ、真空断熱材２０の内部圧力を示す内圧値を算出するための測定データを、インターネット等のネットワークＮを介してサーバ３０に送信することができる。
【００２４】
小型無線真空計１０は、携帯端末（外部の受信ユニット）（図示せず）に無線通信で測定データを送信して、携帯端末がネットワークＮを介して測定データをサーバ３０に送信することができる。また、小型無線真空計１０は、Wi-Fi等で直接ネットワークに接続して、測定データの送信先として予め設定されたサーバ３０に測定データを送信することもできる。端末４０は、ネットワークＮを介してサーバ３０に接続し、真空断熱材の数年後又はそれ以降の断熱性能の変化の予測結果に基づいて真空断熱材の交換タイミングや現在の断熱性に関する通知（アラート）等を受け取り、画面に表示することができる。
【００２５】
図２は、本発明の一実施形態に係る真空断熱材に含まれる小型無線真空計の部品構成を示すブロック図である。小型無線真空計１０は、圧力センサ１と、オペアンプ２と、Ａ／Ｄコンバータ３と、ＣＰＵ・無線送信ユニット４と、温湿度センサ・内部時計５と、充電ユニット６と、ＤＣ／ＤＣコンバータ７と、バッテリー８とを含むことができる。
【００２６】
圧力センサ１は、真空断熱材内部の圧力を測定し、圧力センサ１に接続されたオペアンプ２は、測定された圧力値のアナログ信号を増幅することができる。オペアンプ２に接続されたＡ／Ｄコンバータ３は、増幅されたアナログ信号をデジタル信号に変換し、Ａ／Ｄコンバータ３に接続されたＣＰＵ・無線送信ユニット４は、デジタル信号を受け取り、受け取ったデジタル信号を測定データとして、１ＧＨｚ未満のサブギガ帯無線又は２．４ＧＨｚ帯無線又は５ＧＨｚ帯無線によって外部の受信ユニット（図示せず）に送信することができる。
【００２７】
ＣＰＵ・無線送信ユニット４の周波数帯は、無線送信可能な周波数帯であれば、どれでも選択が可能であるが、送信距離の問題から１ＧＨｚ以下範囲が好ましい。９２０ＭＨｚ帯はＩＳＭバンド帯を利用しており、１回の送信にかかる消費電力も大きい。しかしながら、９２０ＭＨｚ帯は２．４ＧＨｚ帯に比べて、回折性が高いので障害物を回りこんで通信することができ、電波の到達距離も長いことから、真空断熱材の外層表面から数ｍの送信が可能である。
【００２８】
一方、ＢＬＥ（Bluetooth Low Energy）通信を含む２．４ＧＨｚ帯の通信方法では、消費電力は少ないが、電波の到達距離は、一般的な真空断熱材の外層表面から５ｃｍ程度である。壁内部に真空断熱材を設置した場合の計測が難しいが、壁厚の薄い所や、壁から真空断熱材の表面が剥き出しである場合に用いることができる。
【００２９】
外部の受信ユニットは、測定データの受信時に測定電圧を記録し、既知の校正値（電圧/圧力）の変換値から圧力値に変換することができ、変換で出力される圧力値は、例えば、受信ユニット（サーバ）で実行されるプログラムによって計算される。
【００３０】
圧力センサ１は、微小電気機械システム（ＭＥＭＳ）で形成された熱電対型真空センサを用いることができる。また、圧力センサ１は、ＭＥＭＳで形成された熱電対型真空センサを用いることもできる。
【００３１】
ＣＰＵ・無線送信ユニット４に接続された温湿度センサ・内部時計５は、例えば、Ｉ２Ｃ通信等のシリアル通信で直接ＣＰＵに信号を送信することができる。ＣＰＵ・無線送信ユニット４は、温湿度センサ・内部時計５からの信号を無線で外部の受信ユニットに送信することができる。なお、温湿度センサについては無くても、圧力センサ１により真空断熱材の内側の圧力を測定することが可能な為、必要がない場合には、小型無線真空計１０の構成に含めなくてもよい。つまり、温湿度センサは、真空断熱材の内部に侵入する水蒸気圧の問題を確認する等の必要な場合に応じて、小型無線真空計１０に含めることができる。さらに、各種分子種（二酸化炭素、一酸化炭素、酸素、ＶＯＣ等）を計測するセンサも小型無線真空計１０に含めることができる。すなわち、小型無線真空計１０は、温度センサ、湿度センサ、各種分子種を計測するセンサ及び内部時計のうち少なくとも１つをさらに含むことができる。
【００３２】
ＣＰＵ・無線送信ユニット４に接続されたバッテリー８は、ＣＰＵ・無線送信ユニット４及び該ユニットに電気的に接続されたその他の部品（素子）に電力を供給することができる。また、バッテリー８は、ＤＣ／ＤＣコンバータ７を介して充電ユニット６に接続され、充電ユニット６は、バッテリー８を充電するための電力を供給することができる。ＤＣ／ＤＣコンバータ７は、充電ユニット６から得られる電圧を、バッテリー８の充電に必要な電圧に変換することができる。
【００３３】
なお、ＤＣ／ＤＣコンバータ７は、本来、小型無線真空計１０のバッテリー８の充電に必須ではない。ＤＣ／ＤＣコンバータ７は、真空断熱材の金属性ガスバリア性フィルムを介して充電を行う際に、誘電加熱が引き起こされることが原因で生じ得る誘電損失の影響を最小限にするための構成である。つまり、このような誘電加熱が引き起こされると、必要な電力を供給することが困難となるため、ＤＣ／ＤＣコンバータ７を用いることで、必要な電圧まで昇圧することが可能となる。
【００３４】
より高電圧をかけると真空断熱材表面での発熱が大きくなり、樹脂と金属層から成るガスバリア性フィルムを破損又は樹脂膜を溶解してしまう可能性がある。そうした場合、真空断熱材は、真空を維持できなくなり、断熱性が大きく損なわれてしまう。よって、ＤＣ／ＤＣコンバータ７を介してセンサを駆動させることは、真空断熱材の内部で運用する際により好ましい構成である。
【００３５】
充電ユニット６は、充電機構としてペルチェ素子又は非接触給電用のコイルを採用することができる。充電ユニット６の充電機構としてペルチェ素子を用いた場合には、ペルチェ素子に熱が加えられることで、ゼーベック効果により生じた電力を、ＤＣ／ＤＣコンバータ７を介してバッテリー８に供給することができる。例えば、バッテリー８として、８５ｍＡｈの小型リチウムイオンポリマー（ＬｉＰｏ）バッテリーを採用した場合には、充電ユニット６のペルチェ素子に８０℃の熱を約５分間加えることで、当該小型ＬｉＰｏバッテリーの充電を完了することができる。８０℃の熱を約５分間加える程度であれば、真空断熱材にはほぼダメージを与えずに充電することができる。
【００３６】
充電ユニット６は、充電機構として非接触給電用のコイルを用いた場合、電磁誘導方式又は磁界共鳴方式によって生じた電力を、ＤＣ／ＤＣコンバータ７を介してバッテリー８に供給することができる。例えば、電磁誘導方式の場合、充電ユニット６には受電側コイルが含まれ、真空断熱材の外部の充電器等に含まれる送電側コイルと、受電側コイルとの間で発生する誘電磁束を利用して生じた電力を充電ユニット６で受け取ることができる。
【００３７】
また、電界共鳴方式の場合、受電側コイルは受電側共振回路に含まれ、送電側コイルは送電側共振回路に含まれる。充電器送電側共振回路に含まれる送信側コイルに電流が流れることにより発生した磁場の振動が、同じ周波数で共振する受電側共振回路に含まれる受信側コイルに伝わることで、磁界共鳴させて生じた電力を充電ユニット６で受け取ることができる。
【００３８】
小型無線真空計１０は、真空断熱材の減圧密閉された内部に設けられる。真空断熱材は、芯材と、該芯材を覆うガスバリア性フィルムと、該ガスバリア性フィルムの外側に設けられた外層とを含み、小型無線真空計１０は、真空断熱材の外層よりも内側、好ましくは、ガスバリア性フィルムの内側に含まれる。
【００３９】
このように、小型無線真空計１０は、外部電源との電気的な接続なしにバッテリーを充電できる充電機構を含む充電ユニットを設けたことで、小型無線真空計１０が真空断熱材に内蔵されても、長期的な運用に耐え得る十分な電力を継続して供給することができる。
【００４０】
真空断熱材の芯材としては、真空断熱材分野で用いられているものを特に制限なく用いることができる。具体例としては、連続気泡硬質ポリウレタンフォーム、無機繊維、有機繊維、無機粉体、エアロゲル等を使用することができる。ハンドリング、断熱性の観点から、シート状に形成された無機繊維が好ましい。無機繊維としては、ガラス繊維、アルミナやシリカ等のセラミック繊維、スラグウール繊維、ロックウール繊維等が挙げられる。これらの中では、断熱性、成形加工性等の観点から、ガラス繊維が好ましい。なお、芯材の耐熱性を向上させるため、ステンレス鋼、クロム−ニッケル系合金、高ニッケル合金、高コバルト合金等の耐熱性金属繊維を少量混合することもできる。芯材は公知であり、市場において容易に入手することができるか、又は調製可能である。
【００４１】
本発明の一実施形態に係る真空断熱材において、吸着剤が芯材と共に袋状のガスバリア性フィルムに封入されてもよい。吸着剤は、例えば、窒素、酸素、二酸化炭素等のガス、及び／又は水分を吸着する物質である。吸着剤としては、酸化カルシウム、シリカゲル、ゼオライト、活性炭、酸化バリウム、バリウム−リチウム合金又はこれらの混合物等が挙げられる。ガス吸着性能及び生産性の観点から、酸化カルシウムが好ましい。吸着剤は公知であり、市場において容易に入手することができるか、又は調製可能である。
【００４２】
本発明に用いられるガスバリア性フィルムは、ガスバリア性を有するフィルムであれば特に制限はないが、シール層及びガスバリア層を積層したものが好ましく、芯材に接する側から順にシール層、ガスバリア層及び１層以上の樹脂フィルム層を積層したものがより好ましい。ガスバリア性フィルムの厚さは、特に制限はないが、通常５０〜２００μｍであり、好ましくは６０〜１８０μｍである。
【００４３】
ガスバリア層は、ガスを透過しない層であり、真空断熱材の真空度の低下を防ぐ観点から用いられる。ガスバリア層としては、金属箔や、樹脂フィルム上に蒸着膜を形成した蒸着フィルム等が挙げられる。蒸着フィルムは、蒸着法、スパッタ法等により、基材上に蒸着膜を形成することにより得られる。ガスバリア性及び経済的観点から、金属箔及び蒸着材料のいずれにおいても、好ましくは、アルミニウムが用いられる。
【００４４】
蒸着フィルムの基材となる樹脂フィルムとしては、ポリエチレンテレフタレート（ＰＥＴ）、ポリブチレンテレフタレート（ＰＢＴ）等の芳香族ポリエステル系樹脂；ポリエチレン、ポリプロピレン、オレフィン共重合体等のポリオレフィン系樹脂；ポリ塩化ビニル、塩化ビニル共重合体等の塩化ビニル系樹脂；ナイロン６、ナイロン６６、メタキシリレンジアミン・アジピン酸縮合体等のポリアミド樹脂；アクリロニトリル・ブタジエン・スチレン共重合体、アクリロニトリル・スチレン共重合体等のスチレン系樹脂；ポリメチルメタクリレート、アクリル酸エステルとメチルメタクリル酸エステル共重合体等のアクリル系樹脂、エチレン−ビニルアルコール共重合体、ポリビニルアルコール及びポリ酢酸ビニルを部分ケン化した物等の熱可塑性樹脂、フェノール樹脂、ユリア樹脂等の熱硬化性樹脂から製造されるフィルムが用いられる。
【００４５】
ガスバリア層の厚さは特に制限はないが、金属箔の場合は、１〜６０μｍであり、好ましくは５〜３０μｍである。厚さが１μｍ以上であれば、金属箔の強度が高く、ピンホールの形成等が抑えられる。蒸着フィルムの場合は、ガスバリア層の厚さは、１０〜６０μｍ、好ましくは１２〜３０μｍであり、そのうち蒸着膜の厚さは、０．２〜３．０μｍ、好ましくは０．５〜２．０μｍである。蒸着膜の厚さが０．２μｍ以上であればガスバリア性を発揮でき、３．０μｍ以下であれば蒸着膜形成の技術的な困難さは大きくはない。ガスバリア層に用いられる金属箔や蒸着フィルムは公知であり、市場において容易に入手することができるか、又は調製可能である。
【００４６】
シール層は、加熱により融着可能な樹脂である。熱融着可能な樹脂であれば、特に制限はない。具体的には、ポリエチレン、ポリプロピレン等のポリオレフィン樹脂、ポリアクリロニトリル、ＰＥＴ、エチレン−ビニルアルコール共重合体、又はそれらの混合体からなるフィルム等を用いることができる。好ましくはポリエチレン、ポリプロピレン、エチレン-ビニルアルコール共重合体が用いられる。ポリエチレンは、０．９０〜０．９８ｇ／ｃｍ3の密度のものが好ましい。ポリプロピレンは、０．８５〜０．９５ｇ／ｃｍ3の密度のものが好ましい。シール層の厚さは特に制限はないが、通常１０〜１００μｍであり、好ましくは２５〜６０μｍである。シール層に用いられる樹脂は公知であり、市場において容易に入手することができるか、又は調製可能である。
【００４７】
樹脂フィルム層は、ガスバリア層を保護する目的で、ガスバリア層上に任意に設けられる層である。樹脂フィルム層としては、ポリエチレンテレフタレート（ＰＥＴ）、ポリブチレンテレフタレート（ＰＢＴ）等の芳香族ポリエステル系樹脂；ポリエチレン、ポリプロピレン、オレフィン共重合体等のポリオレフィン系樹脂；ポリ塩化ビニル、塩化ビニル共重合体等の塩化ビニル系樹脂；ナイロン６、ナイロン６６、メタキシリレンジアミン・アジピン酸縮合体等のポリアミド樹脂；ポリビニルアルコール、アクリロニトリル・ブタジエン・スチレン共重合体、アクリロニトリル・スチレン共重合体等のスチレン系樹脂；ポリメチルメタクリレート、アクリル酸エステルとメチルメタクリル酸エステル共重合体等のアクリル系樹脂等の熱可塑性樹脂、フェノール樹脂、ユリア樹脂等の熱硬化性樹脂から製造されるフィルムが用いられる。好ましくは、ＰＥＴ、ナイロン６又はナイロン６６である。これらの樹脂フィルムには、有機質、無機質のフィラーを添加することもできる。これらの樹脂は単独で又は２種以上を混合して用いることができる。樹脂フィルム層には、ガスバリア性フィルムのガスバリア性能を更に向上させるために、塩化ビニリデン、アクリロニトリル、ビニルアルコール等のビニルモノマーを重合、共重合させて得られるガスバリア性樹脂を塗布したり、積層したり、それらの粒子を樹脂フィルム層中に混合分散させることもできる。樹脂フィルム層の厚さは特に制限はないが、通常５〜４０μｍであり、好ましくは１０〜３０μｍである。樹脂フィルム層に用いられる樹脂は公知であり、市場において容易に入手することができるか、又は調製可能である。
【００４８】
ガスバリア性フィルムは、袋状に形成される。袋状とは、中に芯材及び吸着剤を入れられる形状である。ガスバリア性フィルムを袋状に形成する工程には、特に制限はない。例えば、ガスバリア性フィルムがシール層有する場合に、互いのシール層が接するように２枚のガスバリア性フィルムを重ねて、芯材及び吸着剤を納める部位の周りを、芯材及び吸着剤の挿入のための開口部を残して熱融着することにより、ガスバリア性フィルムを袋状に形成してもよい。
【００４９】
本発明に用いられる真空断熱材用ガスバリア性フィルムの外層には紙及び／又は不織布を積層することができる。紙とは、植物繊維その他の繊維を膠着させて製造した物である。有機繊維及び無機繊維のいずれも紙の材料として使用し得る。紙の材料となる有機繊維としては、例えば、植物由来の繊維、合成繊維等があり、紙の材料となる無機繊維は、例えば、鉱物、金属からなる繊維、合成繊維等がある。不織布とは、繊維シート、ウェブまたはバットで、線が一方向またはランダムに配向しており、交流、及び/又は融着、及び/又は接着によって繊維間が結合されたものである。有機繊維及び無機繊維のいずれも不織布の材料として使用し得る。
【００５０】
不織布の材料となる有機繊維は天然繊維及び化学繊維を含み、天然繊維としては綿、羊毛、フェルト、麻、パルプ、絹等があり、化学繊維としてはレーヨン、ポリアミド、ポリエステル、ポリプロピレン、アクリル繊維、ビニロン、アラミド繊維、アセテート等がある。不織布の原料となる無機繊維としては、ガラス繊維、炭素繊維、鉱物繊維等がある。好ましい材料は、ポリアミド、ポリエステル、ポリプロピレンである。紙及び不織布は公知であり、市場において容易に入手することができるか、又は調製可能である。
【００５１】
外層の厚さは、０．０１ｍｍ〜３ｍｍであり、好ましくは０．０３〜０．５ｍｍである。外層の目付は特に制限はないが、好ましくは１０〜２００ｇ／ｍ2であり、より好ましくは２０〜１００ｇ／ｍ2である。
【００５２】
外層は、例えば、ラミネートによって、ガスバリア性フィルムの、芯材と接しない側（真空断熱材の外側）に接着される。ラミネートの方法としては、ドライラミネート、押し出しラミネート、ホットメルトラミネート、ウェットラミネート、サーマルラミネート等が挙げられる。
【００５３】
真空断熱材の形状は、例えば、板状である。板状とは、薄く平たい形状を言い、対向する２つの面及びこれら２つの面を接続する側周面を有する。外層は、板状の真空断熱材の少なくとも片面の一部を覆っており、好ましくは、使用する際に熱源側に配置される面の縁を枠状に覆っている。外層は、好ましくは真空断熱材の側周面も覆っており、より好ましくは真空断熱材の全面（すなわち、両面及び側周面）を覆っている。また、複数の真空断熱材を組み合わせて用いる場合には、真空断熱材同士の継ぎ目部分における熱の漏洩を防ぐために、側周面を外層で覆うことが有利である。
【００５４】
図３は、断熱性能変化予測システムとして機能するコンピュータのハードウェアの構成例を示すブロック図である。なお、図中では、サーバ３０のハードウェアに対応する符号には括弧を付すことなく記載し、端末４０のハードウェアに対応する符号には括弧を付して記載する。
【００５５】
サーバ３０は、例示的に、ＣＰＵ（Ｃｅｎｔｒａｌ  Ｐｒｏｃｅｓｓｉｎｇ  Ｕｎｉｔ）３１と、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等からなるメモリ３３と、バス３４と、入出力インターフェース３５と、入力部３６と、出力部３７と、記憶部３８と、通信部３９と、を備えている。
【００５６】
ＣＰＵ３１は、メモリ３３に記録されているプログラム、又は、記憶部３８からメモリ３３にロードされたプログラムにしたがって各種の処理を実行する。ＣＰＵ３１は、例えば、サーバ３０を本発明の断熱性能変化予測システムとして機能させるためのプログラムを実行することができる。また、断熱性能変化予測システムの少なくとも一部の機能を、特定用途向け集積回路（ＡＳＩＣ）等でハードウェア的に実装することも可能である。
【００５７】
メモリ３３には、ＣＰＵ３１が各種の処理を実行する上において必要なデータ等も適宜記憶される。ＣＰＵ３１及びメモリ３３は、バス３４を介して相互に接続されている。このバス３４には、入出力インターフェース３５も接続されている。入出力インターフェース３５には、入力部３６と、出力部３７と、記憶部３８と、通信部３９と、が接続されている。
【００５８】
入力部３６は、各種ボタン、タッチパネルあるいはマイク等で構成され、サーバ３０の管理者等の指示操作に応じて各種情報を入力する。なお、入力部３６は、サーバ３０の他の各部を収容する本体とは独立した、キーボードやマウス等の入力装置により実現されてもよい。
【００５９】
出力部３７は、ディスプレイやスピーカ等で構成されており、画像データや音楽データを出力する。出力部３７が出力した画像データや音楽データは、ディスプレイやスピーカ等から、画像や音楽としてプレイヤが認識可能に出力される。
【００６０】
記憶部３８は、ＤＲＡＭ（Ｄｙｎａｍｉｃ  Ｒａｎｄｏｍ  Ａｃｃｅｓｓ  Ｍｅｍｏｒｙ）等の半導体メモリで構成され、各種データを記憶する。
【００６１】
通信部３９は、他の装置との間で行う通信を実現する。例えば、通信部３９は、ネットワークＮを介して、端末４０との間で相互に通信を行う。
【００６２】
なお、サーバ３０には、不図示であるがドライブを必要に応じて適宜設けられる。ドライブには、例えば、磁気ディスク、光ディスク、光磁気ディスク、あるいは半導体メモリ等から構成されるリムーバブルメディアが適宜装着される。リムーバブルメディアには、ゲーム実行するためのプログラムや、画像データ等の各種データが格納される。ドライブによってリムーバブルメディアから読み出されたプログラムや、画像データ等の各種のデータは、必要に応じて記憶部３８にインストールされる。
【００６３】
次に、端末４０のハードウェアの構成について説明する。端末４０は、図２に示すように、例示的に、ＣＰＵ４１と、メモリ４３と、バス４４と、入出力インターフェース４５と、入力部４６と、出力部４７と、記憶部４８と、通信部４９と、を備えている。これら各部は、上述のサーバ３０が備える、符号のみが異なる同名の各部と同等の機能を有している。従って、重複する説明を省略する。なお、端末４０を、携帯型の装置として構成する場合には、端末４０が備える各ハードウェアと、ディスプレイやスピーカとを一体の装置として実現するようにしてもよい。
【００６４】
（機能的構成）
図４は、本発明の一実施形態に係る断熱性能変化予測システムの機能的構成の一例を示すブロック図である。図４は、図３に示したサーバ３０の機能的構成及び端末４０の機能的構成のうち、断熱性能変化予測処理といった処理を実行するための機能的構成を示すブロック図である。
【００６５】
ここで、断熱性能変化予測処理とは、モニタリング対象の真空断熱材から時間的な間隔を空けて繰り返し取得した測定データを換算して得られた内部圧力の値（内圧値）の時系列的な変化に基づく指標（圧力勾配）を用いて、当該真空断熱材の長期的な断熱性能の変化を予測する処理である。具体的な処理の内容は、図５及び図６に記載のフローチャートの説明で後述する。
【００６６】
サーバ３０は、断熱性能変化予測処理を実現するプログラムが実行される場合、図４に示すように、ＣＰＵ３１において、圧力勾配計算部３１１と、性能判定部３１２と、通知部３１３とが機能する。また、記憶部３８の一部の記憶領域には、モニタリング対象の真空断熱材から取得した測定データを記憶する測定データ記憶部３８１と、測定データの値を真空断熱材の内部圧力の値（内圧値）に換算した内圧値記憶部３８２とが含まれる。
【００６７】
断熱性能変化予測処理による、端末４０との通信は、サーバ３０の通信部３９と端末４０の通信部４９を利用して行われる。なお、図１に示されるように、サーバ３０と端末４０との間には、通信を実現するためのネットワークＮが存在するが、図４ではこのネットワークＮの図示を省略する。
【００６８】
測定データ記憶部３８１には、図１に示すように真空断熱材２０の内部状態をモニタリングするために設けられた小型無線真空計１０から取得した、圧力センサ１（図２参照）で計測された測定データを計測時刻と関連付けて蓄積される。圧力勾配計算部３１１は、圧力センサ１で計測された測定データから、圧力センサ１による計測時点での真空断熱材２０の内部圧力を示す内圧値を求め、求めた内圧値を測定データ（及び／又は、計測時刻）と関連付けて内圧値記憶部３８２に格納することができる。
【００６９】
また、圧力勾配計算部３１１は、内圧値記憶部３８２を参照して、所定の計測時点での内圧値と、それよりも過去の真空断熱材の内部圧力の値を表す過去内圧値との内圧差分を算出し、単位時間当たりの内圧差分の変化量を表す圧力勾配値を取得する。圧力勾配値は、下記数式（１）によって算出される。
【数１】
2020134394.tif 000003
ただし、ΔPa は、前記圧力勾配値であり、Pac は計測時点での前記真空断熱材の前記内圧値であり、Paa は Pac よりも過去に計測された前記過去内圧値であり、Day は Paa の計測時点から Pac の計測時点までの測定間隔を表す日数である。
【００７０】
性能判定部３１２は、予め指定された指定期間が経過した場合の真空断熱材の断熱性能を、圧力勾配値から換算された熱伝導率に基づいて判定することができる。熱導電率は、下記数式（２）によって算出される。数式（２）は真空断熱材の製造に用いる材料個別に予め λsr、λga 、P1/2 を取得しておく必要がある。
【数２】
2020134394.tif 000004
ただし、λcop は真空断熱材の中央部の熱伝導率であり、λsr は雰囲気圧力である Pa が 1Pa 以下の時の芯材の固体及び放射熱伝導率であり、λga は乾燥空気の熱伝導率であり、P1/2 は芯材の大気圧下での熱伝導率の値と、真空下（1Pa以下）での熱伝導率の値を足して２で割った熱伝導率の時の雰囲気圧力値、ｔ は、交換時期を表す値である。なお、交換時期を表す値 ｔ は、予め指定された指定期間の値とすることができる。
【００７１】
本発明に用いる真空断熱材は、製品にセンサを組み込む前に数式（２）によって熱伝導率と内部圧力の関係について把握しておく事が望ましい。測定の方法として、センサを組み込んだ真空断熱材の熱伝導率を熱流計法（JIS-1412 PartII）に基づいて計測し、その時の圧力から熱伝導率と圧力の関係式である数式（２）を取得する方法がある。
【００７２】
交換時期 は、下記数式（３）によって算出される。
【数３】
2020134394.tif 000005
ただし、ｔ は、交換時期を表す値であり、λcop は真空断熱材の中央部の熱伝導率であり、λsr は雰囲気圧力である Pa が 1Pa 以下の時の芯材の固体及び放射熱伝導率であり、λga は乾燥空気の熱伝導率であり、P1/2 は芯材の大気圧下での熱伝導率の値と、真空下（1Pa以下）での熱伝導率の値を足して２で割った熱伝導率の時の雰囲気圧力値である。なお、 λcop は、予め指定された指定熱伝導率の値とすることができる。
【００７３】
通知部３１３は、真空断熱材の熱伝導率が予め指定された指定熱伝導率に到達するまでの期間又は時間を通知することができる。また、通知部３１３は、性能判定部３１２において真空断熱材の熱伝導率が指定熱伝導率未満と判定された場合に、指定熱伝導率に到達するまでの期間又は時間を通知することもできる。さらに、通知部３１３は、性能判定部３１２において真空断熱材の熱伝導率が指定熱伝導率を超えていると判定された場合に、
アラートを通知することができる。例えば、通知部３１３は、通信部３９を介して端末４０のモニター等の出力部４７に、性能判定部３１２の判定結果に応じて、真空断熱材の熱伝導率が指定熱伝導率に到達するまでの期間又は時間を予測結果として表示すること、断熱性能の劣化を知らせるアラートを表示すること等ができる。
【００７４】
性能判定部３１２は、さらに、上述した数式（２）で算出された熱伝導率λcopの現在値と、性能判定部３１２により過去に取得された１以上の過去値との相関係数が、予め指定された指定相関係数以上となるか否かを判定することができる。相関係数は、熱伝導率λcopの現在値をＸとし、過去値をＹとして、下記数式（４）によって算出される。
【数４】
2020134394.tif 000006
【００７５】
通知部３１３は、性能判定部３１２において相関係数が予め指定された指定相関係数未満と判定された場合に、真空断熱材の交換を促す通知又は異常を知らせる警告の通知を行うことができる。
【００７６】
端末４０は、ブラウザプログラム４１１をＣＰＵ４１によって実行することで、図５に示すような表示画面を出力部４７に表示することができる。図５は、断熱性能変化予測システムの表示画面の一例を示す図である。例えば、校正結果代入欄では、小型無線真空計１０の圧力センサ１の各種パラメータ（Ｔｏ：大気圧でのセンサ出力値、Ｔｍａｘ：真空状態でのセンサ出力値、Ｐ1/2：センサ出力値が半分になる時の圧力）の入力を受け付け、さらに、芯材の各種パラメータ（λsr：乾燥空気の熱伝導率、λga：大気圧下での熱伝導率、Ｐ1/2：真空下（1Pa以下）での熱伝導率の値を足して２で割った熱伝導率の時の雰囲気圧力値）の入力を受け付けることができる。このように圧力センサと芯材の校正結果の値を予め設定することができる。
【００７７】
図５に示す表示画面中の閾値入力欄では、真空断熱材の製造日の入力を受け付け、閾値として真空断熱材内部の熱伝導率、耐久年数の入力を受け付けることができる。端末４０は、サーバ３０で計算された断熱性能変化の予測した結果を、長期性能予測結果と判定として、表示画面上に、グラフ等の表示を行うことができる。予測結果が、閾値として予め指定した熱伝導率及び年数を超えていなければ、判定は良好（〇）を表示し、加えて交換時期（例えば、３年目以降）と表示することができる。
【００７８】
図６は、小型無線真空計内の圧力センサから取得した出力値を圧力の値に換算する処理の流れを示すフローチャートである。当該処理は、サーバ３０の圧力勾配計算部３１１で実行される。まず、サーバ３０の測定データ記憶部３８１に蓄積された、小型無線真空計１０から取得した、圧力センサ１（図２参照）で計測された測定データを取得する（ステップＳ１００）。次に、芯材のパラメータを取得する（ステップＳ１０１）。芯材のパラメータは図５に示した表示画面を介してユーザに入力させることができる。最後に、芯材のパラメータ及び測定データを圧力値に換算する（Ｓ１０２）。
【００７９】
測定データから圧力値への換算は、例えば、図５に示した表示画面を介してユーザによって入力された圧力センサ１の各種パラメータ（Ｔｏ：大気圧でのセンサ出力値、Ｔｍａｘ：真空状態でのセンサ出力値、Ｐ1/2：センサ出力値が半分になる時の圧力）を、理論計算式 y = Tmax/(1+x/(P1/2))-To に代入することで、換算することができる。理論計算式中のｘは、内部圧力（Ｐａ）であり、ｙは小型無線真空計１０の圧力センサ１の測定データの出力値である。ｘ軸を内部圧力（Ｐａ）とし、ｙ軸を圧力センサ１の出力値（マイクロ真空センサ出力値）として、グラフにプロットした結果を図７に示す。
【００８０】
また、図５に示した表示画面を介してユーザによって入力された芯材の各種パラメータ（λsr：乾燥空気の熱伝導率、λga：大気圧下での熱伝導率、Ｐ1/2：真空下（1Pa以下）、理論計算式 y = λsr + λga/(1+(P1/2)/x) に代入することで、換算することができる。理論計算式中のｘは、内部圧力（Ｐａ）であり、ｙは真空断熱材２０の芯材（グラスウール）の熱導電率（ｍＷ／ｍＫ）である。ｘ軸を内部圧力（Ｐａ）とし、ｙ軸を芯材の熱伝導率として、グラフにプロットした結果を図８に示す。図９は、図７及び図８に示すグラフを重ねて示したグラフである。
【００８１】
図１０は、指定期間が経過した場合の真空断熱材の断熱性能を圧力勾配値から換算された熱伝導率に基づいて判定する処理の流れを示すフローチャートである。ステップＳ１１０では、サーバ３０の圧力勾配計算部３１１が、記憶部３８（測定データ記憶部３８１、内圧値記憶部３８２）に蓄積されたデータからΔＰａ（内圧-過去（初期）内圧/測定日数）を計算する。ΔＰａの計算式は、上述した数式（１）に基づくものである。
【００８２】
ステップＳ１１１では、サーバ３０の性能判定部３１２が、内圧と熱伝導率との関係式に基づいて指定期間の長期性能を計算する。具体的には、上述した数式（２）から（４）に基づいて、真空断熱材の交換時期、真空断熱材内部の熱伝導率を計算する。ステップＳ１１２では、性能判定部３１２は、計算された結果が、図５に示した表示画面を介して閾値としてユーザによって指定された熱伝導率（指定熱伝導率）を超えるか否かを判定する。指定熱伝導率を超える場合（Ｓ１１２の「はい」）、通知部３１３は、真空断熱材の交換を促す通知を行い（Ｓ１１３）、指定熱伝導率を超えない場合（Ｓ１１２の「いいえ」）、通知部３１３は予測される交換時期を端末４０の画面（出力部４７）に表示することができる。真空断熱材の交換時期の予測は、例えば、圧力勾配値の現在値と過去値との相関係数に基づいて判断することができる（上述した数式（３）及び（４））。
【実施例】
【００８３】
マイクロ真空センサを搭載した真空断熱材を、下記の表に示す環境下に静置させ、長期性能（熱伝導率の時間変化）を測定し、内部圧力から換算した性能と比較した。
【表１】
2020134394.tif 000007
【００８４】
芯材の各種パラメータ（λsr：雰囲気圧力であるPaが1Pa以下の時の芯材の固体及び放射熱伝導率、λga：大気圧下での熱伝導率、Ｐ1/2：真空下（1Pa以下）での熱伝導率の値を足して２で割った熱伝導率の時の雰囲気圧力値）は、下記の表に示すとおりである。
【表２】
2020134394.tif 000008
【００８５】
上述した数式（２）に基づいて計算された熱伝導率λcop（「計算熱伝導率」ともいう）を求め、求められた熱伝導率λcopの値（現在値）と、過去に求めた値（過去値）との相関係数を上述した数式（４）に基づいて計算した。その結果を下記の表に示す。190日目に針孔で真空断熱材に穴をあけ、養生テープで穴をふさぎ、意図的に性能低下を引き起こした。
【表３】
2020134394.tif 000009
【００８６】
図１１は、真空断熱材の内部圧力と期間（日数）との関係（圧力勾配）を示すグラフである。このようなグラフは、長期性能予測結果として、図５に示した表示画面に表示することができる。図１１に示すグラフから分かるとおり、内圧の時間変化は基本的には一定の割合で増加する。大きく性能が低下すると、上記表に示すとおり相関係数が大きく下がるため、次のような条件の際にアラートを出すようにすることができる。(1)過去４回の圧力測定結果から推定した性能が、ユーザの指示した性能（年数と熱伝導率）を超える場合、アラートを表示する。また、(2)相関係数が0.7を下回って、製品性能に問題が起きていると推定される場合、アラートを表示する。
【００８７】
(1)については、製品が自然と性能変化する過程で、「〇年後に性能が〇mW/mKになります」という通知を表示しますが、性能変化がユーザ（顧客）要求を超える場合にアラートを表示することができる。一方、(2)のように突発的に性能が変わる場合は、何らかしら製品に問題が起こっていると想定されるため、こちらも同様にアラートを出し、交換を示唆する指示を、断熱性能変化予測システムから提供することが可能となる。
【００８８】
以上のような構成により、本発明の１つの実施形態に係る断熱性能変化予測システムは、算出した圧力勾配に基づいて、真空断熱材の数年後又はそれ以降の断熱性能の変化を予測することが可能となり、また、予測された断熱性能の変化に基づいて、真空断熱材の交換タイミングや現在の断熱性に関するアラートを、真空断熱材の長期的な断熱性能の変化を監視する者（施工業者、製造メーカー等）へ提示することも可能となる。
【産業上の利用可能性】
【００８９】
本発明に係る真空断熱材は、熱エネルギーを効率的に利用するために住宅やプラントの外壁等に利用することができる。特に、真空断熱材の施工後に断熱性能を計測して、真空断熱材の長期的な運用・性能予測を行うことなどに利用することができる。
【符号の説明】
【００９０】
１  圧力センサ
２  オペアンプ
３  Ａ／Ｄコンバータ
４  ＣＰＵ・無線送信ユニット
５  温湿度センサ・内部時計
６  充電ユニット
７  ＤＣ／ＤＣコンバータ
８  バッテリー
１０  小型無線真空計
２０  真空断熱材
３０  サーバ
３１  ＣＰＵ
３１１  圧力勾配計算部
３１２  性能判定部
３１３  通知部
３３  メモリ
３４  バス
３５  入出力インターフェース
３６  入力部
３７  出力部
３８  記憶部
３８１  測定データ記憶部
３８２  内圧値記憶部
３９  通信部
４０  端末
４１  ＣＰＵ
４１１  ブラウザプログラム
４３  メモリ
４４  バス
４５  入出力インターフェース
４６  入力部
４７  出力部
４８  記憶部
４９  通信部
Ｎ  ネットワーク
【図１】
2020134394.tif 000014
【図２】
2020134394.tif 000015
【図３】
2020134394.tif 000016
【図４】
2020134394.tif 000017
【図５】
2020134394.tif 000018
【図６】
2020134394.tif 000019
【図７】
2020134394.tif 000020
【図８】
2020134394.tif 000021
【図９】
2020134394.tif 000022
【図１０】
2020134394.tif 000023
【図１１】
2020134394.tif 000024